(57)【要約】      （修正有）【課題】経年変化による誤動作がなく、こじ開けられた場合にも配置位置が分かりづらく、更に、小型化に好適なタンパースイッチ構造を備えたカードリーダを提供する。【解決手段】取付ボックス側に固定される前方に開口された箱形の内カバー１２と、内カバー１２に着脱自在に設けられ、開口枠形状を持つ外カバー１４の内側に少なくともスイッチシートと回路基板を積層固定して構成された本体アッセンブリィ１１で構成される。内カバー１２に対し本体アッセンブリィ１１が外される異常を検出するタンパースイッチが設けられ、タンパースイッチは、ＣＰＵ回路基板３６に配置され、ホール素子により外部磁界を検出して出力する磁気検出回路を備えたホールＩＣ４０とホールＩＣ４０に相対して内カバー１２の配置された磁石部材４２で構成される。【選択図】図４
2017155505.tif 000002
【特許請求の範囲】
【請求項１】
電気錠により施錠される扉を設けた出入口の外側に設置され、利用者が携帯するカード媒体に記録された情報を読取って電気錠を解錠させるカードリーダーに於いて、
取付ボックス側に固定される前方に開口された内カバーと、
前記内カバーに着脱自在に設けられ、開口枠形状を持つ外カバーの内側に少なくともスイッチシートと回路基板を積層固定して構成された本体アッセンブリィと、
を備え、
前記内カバーに対し前記本体アッセンブリィが外される異常を検出するタンパースイッチとして、
前記回路基板に配置され、ホール素子により外部磁界を検出して出力する磁気検出回路と、
前記ホール素子に相対して前記内カバーに配置された磁石部材と、
を設けたことを特徴とするカードリーダー。
【請求項２】
請求項１記載のカードリーダーに於いて、
前記ホール素子を備えた磁気検出回路は、前記回路基板に実装された他のＩＣ回路のチップ形状と同じ所定のチップ形状を持つホールＩＣ回路であり、
前記内カバーの内部に配置した磁石部材は、外部から視認不可に隠蔽配置されたことを特徴とするカードリーダー。
【請求項３】
請求項１記載のカードリーダーに於いて、
前記タンパースイッチは、更に、前記回路基板に配置された前記磁気検出回路に対する入出力回路パターンの少なくとも１つが途中で分離され、分離された回路パターンの一端に渡り線の一端が接続固定されると共に分離した回路パターンの他端に前記渡り線の他端が接続され、前記渡り線は前記内カバーに形成された係合部を通して前記回路基板側に接続され、前記取付ボックス側に固定される前記内カバーから前記本体アッセンブリィを取り外した場合に、前記渡り線の前記回路基板に対する接続が切り離される構造を設けたことを特徴とするカードリーダー。
【請求項４】
請求項１記載のカードリーダーに於いて、
前記本体アッセンブリィの両側面に設けられ、カードリーダーに伝送路を介して接続される入退出管理システムの警戒状態を表示する警戒・発報表示灯と、
前記本体アッセンブリィの前面となる表示操作面に設けられ、前記カード媒体の読取りに対応した所定の状態を表示する読取表示灯と、
前記本体アッセンブリィの前面となる表示操作面に設けられ、前記電気錠に対応した所定の状態を表示する解錠表示灯と、
を備え、
前記回路基板に設けられた制御部は、前記磁気検出回路の検出出力が断たれるタンパー異常を検出した場合に、前記警戒・発報表示灯、前記読取表示灯及び前記開錠表示灯の少なくとも何れか、組合せ、又は全てによりタンパー異常を表示させることを特徴とするカードリーダー。
【発明の詳細な説明】
【技術分野】
【０００１】
本発明は、利用者が携帯するカード媒体に記録された利用者識別情報を読取って電気錠を解錠させる入退出管理システムに設けたカードリーダーに関する。
【背景技術】
【０００２】
従来、オフィスビルや工場等の施設にあっては、入退出管理システムが設置されている。入退出管理システムは、例えば建物の階毎に設置したローカル制御盤からの信号線に部屋の入り口扉の外側に設置されたカードリーダーを接続すると共に扉に設けた電気錠を接続している。ローカル制御盤は、伝送路を介して警備室などに設置されたセンター装置や総務部等の管理部門に設置されたクライアント装置に接続されている。
【０００３】
施設や部屋等に出入りする社員等の在籍者は利用者識別情報を登録した例えば非接触ＩＣカードを携帯しており、カードリーダーに非接触ＩＣカードをかざすことで利用者識別情報を読取ってローカル制御盤に送り、ローカル制御盤で事前登録している利用者識別情報との照合一致が得られた場合に電気錠を解錠し、扉を開いて出入りできるようにしている。
【０００４】
図８は従来のカードリーダーを示した説明図であり、図８（Ａ）は正面を示し、図８（Ｂ）は埋込設置した側面を示す。
【０００５】
図８に示すように、従来のカードリーダー１００は、本体１０２とカバー１０４で構成され、カバー１０４の表側となる操作表示面１０６の下側にカード読取部１０８を配置し、上側に、表示部と操作部を設けている。表示部には、読取表示灯１１０、解錠表示灯１１２、警戒・発報表示灯１１４、戸締表示灯１１６及び電源灯１１８が設けられ、操作部には警戒設定スイッチ１２０と警戒解除スイッチ１２２が設けられている。
【０００６】
カードリーダー１００は例えば埋込ボックス１２４により、電気錠を備えた扉を設けた出入口の外側の壁面に埋込み設置されている。
【０００７】
平日の出勤時間帯は、管理責任者が管理者カードの読取りを伴う警戒解除スイッチ１２２の操作を行うことにより警戒モードが解除されており、この状態で、出勤者が携帯している非接触ＩＣカードをカード読取部１０８にかざすと、読取表示灯１１０が一時的に点灯すると共に読取音が出力され、認証に成功すると扉の電気錠が解錠され、解錠表示灯１１２が一時的に点灯する。
【０００８】
勤務時間帯等が過ぎた場合には、管理責任者が管理カードの読取りを伴う警戒設定スイッチ１２０の操作を行うことにより警戒モードが設定され、警戒・発報表示灯１１４が点灯し、非接触ＩＣカードの読取りによる電気錠の解錠が禁止された状態となる。
【０００９】
警戒モードが設定された夜間や休日には、警備担当者が定期的に建物内を巡回しており、巡回中にカードリーダー１００の警戒・発報表示灯１１４や戸締表示灯１１６が正常に点灯していることをみながら、異常がないか確認している。
【００１０】
更に、カードリーダー１００には、本体１０２に対しカバー１０４が悪戯などによりこじ開けられる異常を検出して警報させるためのタンパースイッチを設けている。従来のタンパースイッチは、例えば本体１０２側に機械式のタンパースイッチ、例えばリミットスイッチ等を配置している。カバー１０４が閉鎖状態に固定された通常状態では、本体１０２側の閉鎖固定によりタンパースイッチがオンしており、カバー１０４がこじ開けられると、本体１０２に対しカバー１０４が離れることでタンパースイッチがオフとなり、タンパー異常を検出して例えば警戒・発報表示灯１１４を点滅させ、また、ローカル制御盤を介してセンター装置にタンパー異常検出信号を送信して警報させている。
【先行技術文献】
【特許文献】
【００１１】
【特許文献１】特開２００２−２９８１８３号公報
【特許文献２】特開２００１−０２０５７４号公報
【発明の概要】
【発明が解決しようとする課題】
【００１２】
しかしながら、このような従来のカードリーダーに設けたタンパースイッチにあっては、設置壁面の材質、経年変化などによる取付壁面のクラックや歪みなどによりタンパースイッチの位置がずれ、カバーを閉じているにもかかわらず、タンパースイッチが誤作動してタンパー異常を検出する不具合が度々発生するという問題がある。
【００１３】
この問題を解決するため機械式のタンパースイッチに代えて、磁力を受けてオンするリードスイッチを例えばカバー側に配置し、取付ボックスに固定される本体側に磁石部材を配置した構造となる磁気式のタンパースイッチを用いることが考えられる。磁気式のタンパースイッチは、カバーを閉じた状態でリードスイッチを磁石部材の磁力によりオンし、カバーがこじ開けられると、本体からカバーが離れることでリードスイッチがオフとなってタンパー異常を検出できる。また、経年変化によりリードスイッチに対し磁石部材がずれても、リードスイッチが受ける磁力の範囲は余裕があることからリードスイッチが誤作動してタンパー異常となることもない。
【００１４】
しかしながら、磁気式のタンパースイッチは、悪戯などにより一度カバーを開けて中を見ると、リードスイッチの位置が容易に確認できるため、次に同じ形式のカードリーダーをこじ開ける際には、リードスイッチのある位置に外から永久磁石を当ててリードスイッチに磁力を加えた状態とし、この状態でカバーを開けるとリードスイッチがオフとならず、タンパースイッチの機能を失わせることが簡単にできるという問題がある。
【００１５】
また、カードリーダーは利用者の目に触れる廊下壁面に取り付けられているため、基本的には小型であることが求められており、磁気式のタンパースイッチでは、カバー側の回路基板にリードスイッチを配置することから、そのスペースを確保する必要があり、カードリーダーの小型化が制約される問題もある。
【００１６】
本発明は、経年変化による誤動作がなく、こじ開けられた場合にも配置位置が分かりづらく、更に、小型化に好適なタンパースイッチ構造を備えたカードリーダーを提供することを目的とする。
【課題を解決するための手段】
【００１７】
（カードリーダー）
本発明は、電気錠により施錠される扉を設けた出入口の外側に設置され、利用者が携帯するカード媒体に記録された情報を読取って電気錠を解錠させるカードリーダーに於いて、
取付ボックス側に固定される前方に開口された箱形の内カバーと、
内カバーに着脱自在に設けられ、開口枠形状を持つ外カバーの内側に少なくともスイッチシートと回路基板を積層固定して構成された本体アッセンブリィと、
を備え、
内カバーに対し本体アッセンブリィが外される異常を検出するタンパースイッチとして、
回路基板に配置され、ホール素子により外部磁界を検出して出力する磁気検出回路と、
ホール素子に相対して内カバーに配置された磁石部材と、
を設けたことを特徴とする。
【００１８】
（ホール素子と磁石部材の隠蔽）
ホール素子を備えた磁気検出回路は、回路基板に実装された他のＩＣ回路のチップ形状と同じ所定のチップ形状を持つホールＩＣ回路であり、
内カバーの内部に配置した磁石部材は、外部から視認不可に隠蔽配置される。
【００１９】
（渡り線によるタンパースイッチ機能）
タンパースイッチは、更に、回路基板に配置された磁気検出回路に対する入出力回路パターンの少なくとも１つが途中で分離され、分離された回路パターンの一端に渡り線の一端が接続固定されると共に分離した回路パターンの他端に渡り線の他端が接続され、渡り線は内カバーに形成された係合部を通して回路基板側に接続され、取付ボックス側に固定される内カバーから本体アッセンブリィを取り外した場合に、渡り線の回路基板に対する接続が切り離される構造を設ける。
【００２０】
（タンパー異常の表示）
本発明のカードリーダーは、更に、
本体アッセンブリィの両側面に設けられ、カードリーダーに伝送路を介して接続される入退出管理システムの警戒状態を表示する警戒・発報表示灯と、
本体アッセンブリィの前面となる表示操作面に設けられ、カード媒体の読取りに対応した所定の状態を表示する読取表示灯と、
本体アッセンブリィの前面となる表示操作面に設けられ、電気錠に対応した所定の状態を表示する解錠表示灯と、
を備え、
回路基板に設けられた制御部は、磁気検出回路の検出出力が断たれるタンパー異常を検出した場合に、警戒・発報表示灯、読取表示灯及び開錠表示灯の少なくとも何れか、組合せ、又は全てによりタンパー異常を表示させる。
【発明の効果】
【００２１】
（基本的な効果）
本発明は、電気錠により施錠される扉を設けた出入口の外側に設置され、利用者が携帯するカード媒体に記録された情報を読取って電気錠を解錠させるカードリーダーに於いて、取付ボックス側に固定される前方に開口された箱形の内カバーと、内カバーに着脱自在に設けられ、開口枠形状を持つ外カバーの内側に少なくともスイッチシートと回路基板を積層固定して構成された本体アッセンブリィとを備え、内カバーに対し本体アッセンブリィが外される異常を検出するタンパースイッチとして、回路基板に配置され、ホール素子により外部磁界を検出して出力する磁気検出回路と、ホール素子に相対して内カバーに配置された磁石部材とを設けるようにしたため、経年変化による位置ずれなどがあってもホール素子による高感度の磁気検出が行われるので誤動作がなく、こじ開けられた場合にもホール素子を備えた磁気検出回路は回路基板に他の回路部と共に実装されているため、磁気検出回路の位置は分からず、外側から磁気検出回路の位置に永久磁石を当ててこじ開ける際にタンパースイッチを作動しないようにするようなことはできず、更に、ホール素子を備えた磁気検出回路は回路基板に回路部品として実装されることから、カードリーダーの小型化を妨げることがない。
【００２２】
（ホール素子と磁石部材による効果）
また、ホール素子を備えた磁気検出回路は、回路基板に実装された他のＩＣ回路のチップ形状と同じ所定のチップ形状を持つホールＩＣ回路であり、内カバーの内部に配置した磁石部材は、外部から視認不可に隠蔽配置されるようにしたため、ホール素子を備えた磁気検出回路としては、例えば２ｍｍ×３ｍｍ角程度の小型チップとして実現されている市販のホールＩＣを用いることができ、また、ホールＩＣに対応して磁石部材も小型のもので済み、回路基板に実装したホールＩＣは他のＩＣと区別がつかないため、こじ開けにより回路基板を見てもホールＩＣの位置を特定することができず、外側から磁気検出回路の位置に永久磁石を当ててこじ開ける際にタンパースイッチを作動しないようにするようなことは不可能に近く、更に、ホールＩＣとこれに対応した磁石部材の微細化により、更なるカードリーダーの小型化を可能とする。
【００２３】
（渡り線によるタンパースイッチ機能の効果）
また、タンパースイッチは、更に、回路基板に配置された磁気検出回路に対する入出力回路パターンの少なくとも１つが途中で分離され、分離された回路パターンの一端に渡り線の一端が接続固定されると共に分離した回路パターンの他端に渡り線の他端が接続され、渡り線は内カバーに形成された係合部を通して回路基板側に接続され、取付ボックス側に固定される内カバーから本体アッセンブリィを取り外した場合に、渡り線の回路基板に対する接続が切り離される構造を設けるようにしたため、カードリーダーの小型化薄型化に伴い、例えばマグネットシートをカードリーダーの前面に押し当ててホール素子を用いた磁気検出回路の磁気検出状態を保持することでタンパースイッチの機能を失わせてこじ開けることも予想されることから、このようなこじ開けに対しては、取付ボックス側に固定されている内カバーに対し、本体アッセンブリィ側がこじ開けられると、磁気検出回路の例えば出力ラインに設けた渡り線の例えばコネクタ接続された一端がひっぱりにより外れ、磁気検出回路の検出出力が断たれることで、実質的にタンパースイッチが作動したと同じ状態となり、カードリーダーのこじ開けを確実に検出して警報することができる。
【００２４】
（タンパー異常の表示による効果）
本発明のカードリーダーは、更に、本体アッセンブリィの両側面に設けられ、カードリーダーに伝送路を介して接続される入退出管理システムの警戒状態を表示する警戒・発報表示灯と、本体アッセンブリィの前面となる表示操作面に設けられ、カード媒体の読取りに対応した所定の状態を表示する読取表示灯と、
本体アッセンブリィの前面となる表示操作面に設けられ、電気錠に対応した所定の状態を表示する解錠表示灯とを備え、回路基板に設けられた制御部は、磁気検出回路の検出出力が断たれるタンパー異常を検出した場合に、警戒・発報表示灯、読取表示灯及び開錠表示灯の少なくとも何れか、組合せ、又は全てによりタンパー異常を表示させるようにしたため、カードリーダーのこじ開けによるタンパー異常を検出した場合に、例えばカードリーダーに設けている警戒・発報表示灯、読取表示灯及び開錠表示灯といった全ての表示灯によりタンパー異常を一斉表示することで、カードリーダーをこじ開けた不審者を威嚇し、それ以上の行動を思いとどまらせることを可能とする。
【図面の簡単な説明】
【００２５】
【図１】カードリーダーの実施形態を正面、右側面、背面及び底面から示した説明図
【図２】カードリーダーの実施形態を正面及び背面から示した斜視図
【図３】カードリーダーの組立分解構造を示した説明図
【図４】本体アッセンブリィと内カバーの組立分解構造を示した説明図
【図５】カードリーダーの内部構造を示した断面図
【図６】カードリーダーの機能構成を示したブロック図
【図７】カードリーダーの他の実施形態を示した説明図
【図８】従来のカードリーダーを示した説明図
【発明を実施するための形態】
【００２６】
［カードリーダー］
（カードリーダーの構造）
図１はカードリーダーの実施形態を正面、右側面、背面及び底面から示した説明図、図２はカードリーダーの実施形態を正面及び背面から示した斜視図、図３はカードリーダーの組立分解構造を示した説明図である。
【００２７】
図１乃至図３に示すように、本実施形態のカードリーダー１０は、内カバー１２と外カバー１４によりカードリーダー筐体を構成している。
【００２８】
外カバー１４には、図３の組立分解構造に示すように、透明パネル３２、静電容量スイッチシート３４、ライトガイド２６ａ，２８ａ、ＲＦ基板３６ａとＣＰＵ基板３６ｂをスペーサ３９（図４参照）により２段に配置した回路基板３６のうちのＲＦ基板３６ａ側を積層状態で固定することで本体アッセンブリィ１１を構成し、本体アッセンブリィ１１に対し内カバー１２を嵌め込んで嵌合し、図１（Ｄ）に示すように、外カバー１４の下側のビス１５により固定している。
【００２９】
なお、ＲＦ基板３６ａにはアンテナコイル３７が配置され、ＣＰＵ基板３６ｂの裏側にはコネクタ３８が配置される。更に、内カバー１２は通し穴１７を介してねじ１９を嵌め入れることで、図示しない取付ボックス側に固定される。
【００３０】
図１に示すように、外カバー１４の正面には表示操作パネル１６が設けられ、操作部として、上部に警戒設定キースイッチ２０と警戒解除キースイッチ２２を配置し、その下側にテンキー３０を配置している。テンキー３０は「１，２，３，４，５，６，７，８，９，＊，０．＃」で示す１２個のキースイッチを４行３列に配列している。なお、図２（Ａ）にあっては、表示操作パネル１６のキースイッチの表示は省略している。
【００３１】
これらのキースイッチは、図３に示した静電容量スイッチシート３４を用いることで実現されている。静電容量スイッチシート３４には、警戒設定キースイッチ２０、警戒解除キースイッチ２２及び下側のテンキー３０に対応して１４個の静電容量スイッチ３５が点線で示すように配置されている。
【００３２】
また、カードリーダー１０の表示部として、外カバー１４の側面両側に警戒・発報表示灯２４を設けている。警戒・発報表示灯２４は、正面、側面方向及び斜め方向から視認可能としている。また、警戒・発報表示灯２４は、外カバー１４の側面上部に配置しており、これにより警戒・発報表示灯２４は可能な限り高い位置に配置されることで、遠方からの視認をより行い易くなるようにしている。
【００３３】
側面配置された警戒・発報表示灯２４は、本実施形態にあっては、赤ＬＥＤ、緑ＬＥＤ及び青ＬＥＤの３色ＬＥＤを発光源として図３の回路基板３６に配置しており、その３色の光度の組合せにより、いかなる色でも表示可能としている。
【００３４】
また、カードリーダー１０には、警戒・発報表示灯２４に加え、正面の表示操作パネル１６に、警戒設定キースイッチ２０、警戒解除キースイッチ２２及びテンキー３０を配置した操作部を囲む枠形を上下に分割した表示形態をもつ読取表示灯２６と解錠表示灯２８を上下に分けて配置している。
【００３５】
読取表示灯２６と解錠表示灯２８は、図３に示した、上下に分離した矩形枠取り形状をもつライトガイド２６ａ，２８ａを静電容量スイッチシート３４と回路基板３６の間に配置することにより実現され、ライトガイド２６ａ，２８ａそれぞれに対して本実施形態にあっては、青ＬＥＤと赤ＬＥＤを図３の回路基板３６に配置しており、青と赤の２色発光を可能としている。
【００３６】
［タンパースイッチ］
図４は本体アッセンブリィと内カバーの組立分解構造を示した説明図、図５はカードリーダーの内部構造を示した断面図である。
【００３７】
本実施形態のカードリーダー１０は、内カバー１２に対し本体アッセンブリィ１１が不審者などによりこじ開けられて外される異常を検出するタンパースイッチを設けている。このタンパースイッチは、図４及び図５に示すように、ＣＰＵ基板３６ｂに設けたホールＩＣ４０と、ホールＩＣ４０に相対して内カバー１２に設けた磁石部材４２で構成される。
【００３８】
ホールＩＣ４０はホール素子とホール素子の出力を増幅する差動アンプなどを用いた磁気検出回路で構成されており、ホール素子に常時一定の電流を流した状態で、電流方向に対し垂直に磁石部材４２による磁界をかけると、電流と磁界の両方に直交する方向に起電力が発生し、これを増幅して磁気検出信号を出力する。
【００３９】
また、ホールＩＣは、正負の電源端子と検出端子を備えた例えば３端子のＩＣチップであり、例えば２ｍｍ×３ｍｍ角程度の規格化されたパッケージに収納されている。ＣＰＵ基板３６ｂには、ホールＩＣ４０以外にも、同じパッケージを使用した他の回路部のＩＣ４４が配置されており、ＣＰＵ基板３６ｂを見ても、どのＩＣがホールＩＣであるかは不明である。これにより万一、不審者によりカードリーダー１０がこじ開けられてＣＰＵ基板３６ｂのホールＩＣ４０を捜しても、ホール素子４０を特定することができない。
【００４０】
内カバー１２に対する磁石部材４２は、図５に示すように、例えば内カバー１２の背面に固定されている。このため不審者などがカードリーダー１０をこじ開けて、内カバー１２の中を見ても、磁石部材４２は裏側の隠蔽された位置に配置されているため、磁石部材４２を見つけることはできない。
【００４１】
このようにホールＩＣ４０及び磁石部材４２で構成されたタンパースイッチは、不審者がカードリーダー１０をこじ開けると、本体アッセンブリィ１１が内カバー１２から外され、これによりホールＩＣ４０が磁石部材４２の磁界を受けなくなり、磁気検出信号が断たれることで、ＣＰＵのプログラム制御で実現される制御部は、タンパー異常を検出し、例えば図１の表示操作パネル１６に設けられた警戒・発報表示灯２４、読取表示灯２６及び解錠表示灯２８を例えば赤点滅して、タンパー異常を警報する。
【００４２】
また、不審者がカードリーダー１０をこじ開けた場合、ホールＩＣ４０及び磁石部材４２の位置がわかってしまうと、その後、同じ形式のカードリーダーをこじ開ける場合に、ホールＩＣ４０の配置位置に対応した表側の位置に永久磁石を当ててホールＩＣ４０の検出出力が断たれないようにし、タンパースイッチの機能を失わせるような行為を行うことが予想される。
【００４３】
これに対し本実施形態にあっては、ＣＰＵ基板３６ｂにホールＩＣ４０と同じパッケージとなる他のＩＣ４４が複数配置されているためホールＩＣ４０を特定することができず、また磁石部材４２も内カバー１２の裏側に隠されているため発見できず、ホール素子ＩＣ４０の配置位置に対応した表側に永久磁石を当ててタンパースイッチの機能を失わせるような行為を未然に防止可能とする。
【００４４】
なお、磁石部材４２の隠蔽構造は、内ケース１２の裏側に配置する以外に、内ケース１２の内部に隠蔽した状態で配置してもよい。
【００４５】
［カードリーダーの機能構成概略］
図６はカードリーダーの機能構成を示したブロック図である。図６に示すように、カードリーダー１０は、制御部４６、伝送部４８、操作部５０、表示部５２、リーダーライタ部５４、音響出力部５６、ホールＩＣ４０と磁石部材４２を備えたタンパースイッチ６０で構成される。
【００４６】
制御部４６はＣＰＵ、メモリ、各種の入出力ポートを備えたコンピュータ回路で構成しており、プログラムの実行により所定の制御を行う。伝送部４８は所定の通信プロトコルに従ってローカル制御盤との間で各種コマンドを含む信号の送受信を行う。
【００４７】
操作部５０には、警戒設定キースイッチ２０、警戒解除キースイッチ２２及びテンキー３０が設けられており、図３に示した静電容量スイッチシート３４の静電容量スイッチ３５で実現される。表示部５２には、一対の警戒・発報表示灯２４、読取表示灯２６及び解錠表示灯２８が設けられる。
【００４８】
リーダーライタ部５４は図３のＲＦ基板３６ａに設けたアンテナコイル３７とその送受信回路を備えており、アンテナコイル３７には例えば１３．５６ＭＨｚの発信信号を増幅して加えることで交流磁界を発生しており、非接触ＩＣカード５８が近接すると電磁誘導により電力を供給して動作させることで、非接触ＩＣカード５８から固有の利用者情報を読取る。
【００４９】
音響出力部５６はスピーカと駆動回路を備え、カード読取音やタンパー異常の警報音等を出力する。
【００５０】
タンパースイッチ６０はホールＩＣ４０と磁石部材４２で構成され、通常時は、ホールＩＣ４０から磁気検出信号が出力されており、カードリーダー１０がこじ開けられるとホールＩＣ４０から出力されている磁気検出信号が停止する。
【００５１】
［カードリーダーの表示制御］
カードリーダー１０の制御部４６は、非接触ＩＣカード５８の読取りによる電気錠の解錠制御及び入退出管理システムに関する各種の制御に加え、表示部５２に設けている警戒・発報表示灯２４、読取表示灯２６及び解錠表示灯２８の表示制御を行う。
【００５２】
（警戒・発報表示灯の制御）
制御部４６は、入退出管理システムが警戒解除モードにある場合、カードリーダー１０の警戒・発報表示灯２４を消灯させているが、警戒モードが設定されると警戒・発報表示灯２４を緑点灯させ、警戒モードにあることを識別表示させる。
【００５３】
また警戒モードの設定中に警備担当者が巡回する場合には、例えばセンター装置で巡回モードを設定すると、カードリーダー１０の制御部４６は警戒・発報表示灯２４を黄点灯させ、巡回中であることを識別表示させる。
【００５４】
また、警備担当者の巡回中に、火災が発生した場合には、火災報知システムからの火災移報信号がセンター装置などで受信され、カードリーダー１０にローカル制御盤を介して火災移報コマンド信号が送られ、これによりカードリーダー１０の制御部４６は、警戒・発報表示灯２４を赤橙早点滅（赤と橙を交互に早点滅）させることで火災発生を識別表示させる。
【００５５】
（読取表示灯の制御）
また、制御部４６は、青ＬＥＤと赤ＬＥＤにより青及び赤の２色発光が可能な正面上部に配置した読取表示灯２６を、カードリーダー１０における所定の内部状態又はローカル制御盤から受信したコマンド信号による所定の外部状態を検出した場合に、検出した状態に対応した所定の発光色と発光パターンの組合せにより駆動して識別表示させる制御を行う。
【００５６】
制御部４６は、平常時、カードリーダー１０に正面配置した読取表示灯２６を青色に点灯させ、カード読取りの待機を表示しており、非接触ＩＣカード５８をカードリーダー１０にかざして正常にカード読取りが行われると、読取表示灯２６を所定時間消灯して再び青点灯させ、カード読取りが正常に行われたことを表示する。この場合、制御部４６は読取表示灯２６の消灯に連動して所定の読取音を出力させる。
【００５７】
一方、制御部４６は、カード読取りがエラーとなった場合には、読取表示灯２６を赤点滅させて再び青点灯に戻し、カード読取エラーとなったことを表示し、利用者は再度、カード読取操作を行うことになる。
【００５８】
（解錠表示灯の制御）
制御部４６は、青ＬＥＤと赤ＬＥＤにより青及び赤の２色発光が可能な正面下部に配置した解錠表示灯２８を、カードリーダー１０における所定の内部状態又はローカル制御盤から受信したコマンド信号による所定の外部状態を検出した場合に、検出した状態に対応した所定の発光色と発光パターンの組合せにより駆動して識別表示させる制御を行う。
【００５９】
制御部４６は、施錠中となる平常時に、解錠表示灯２８を青色に点灯させている。この状態で、非接触ＩＣカード５８をカードリーダー１０にかざして正常にカード読取りが行われると、ローカル制御盤による電気錠の解錠制御が行われ、カードリーダー１０の制御部４６は、ローカル制御盤からトグル解錠のコマンド信号を受信し、予め設定している解錠時間のあいだ解錠表示灯２８を青点滅させ、電気錠４８が解錠していることを表示させる。
【００６０】
また、センター装置１０の操作や火災移報信号の受信により一斉解錠を行った場合には、制御部４６は、解錠コマンド信号の受信を検出し、解錠表示灯２８を消灯させて電気錠が解錠していることを表示する。
【００６１】
（タンパー異常表示）
制御部４６は、ホールＩＣ４０から出力されている磁気検出信号が断たれた場合に、タンパー異常を検出し、警戒・発報表示灯２４、読取表示灯２６及び解錠表示灯２８を赤点滅させ、同時に音響出力部５６からタンパー異常の警報音を出力させ、カードリーダー１０の破損を伴う異常事態にあることを強く印象づけるように警報表示させる。
【００６２】
［カードリーダーの他の実施形態］
図７はカードリーダーの他の実施形態を示した説明図であり、本実施形態は、カードリーダーのこじ開けに対しホールＩＣの渡り線を外してタンパースイッチの作動状態を生成する構造としたことを特徴とする。
【００６３】
図７（Ａ）は平常時のタンパースイッチの部分を取り出して示しており、本実施形態にあっては、ＣＰＵ基板３６ｂに配置したホールＩＣ４０と内ケース１２の裏側に配置した磁石部材４２で構成されるタンパースイッチに加え、ホールＩＣ４０の出力端子を半田付けした回路パターンを分離し、パターン分離部分に渡り線６２を接続している。渡り線６２は、分離した回路パターンの一方とコネクタ６４で着脱自在に接続し、分離した回路パターンの他方とは半田固定部６６により固定している。
【００６４】
また、内ケース１２の底部には係合部として機能するリングをもつ止め金具６８がねじ込み固定され、渡り線６２を止め金具６８のリングを通してコネクタ６４を接続している。更に、渡り線６２はコイル状に巻き回されており、組み立て分解作業の際に、本体アッセンブリィ１１を内ケース１２から十分に引き出すことのできる長さとしている。なお、渡り線６２は絶縁被覆つきのものを使用し、ＣＰＵ基板３６の実装部品等との電気的な接触を起こさないようにしている。
【００６５】
図７（Ｂ）は、不審者がカードリーダー１０をこじ開け、本体アッセンブリィ１１を取付ボックスに固定している内ケース１２から引き外した状態を示している。本体アッセンブリィ１１を引き外すと、止め金具６８のリングに通している渡り線６２が引っ張られ、コイル巻きしている部分が伸びきると、図示のように、コネクタ６４がＣＰＵ基板３６ｂのコネクタピン７０から抜け、渡り線６２を介してホールＩＣ４０が出力していた磁気検出信号の出力が断たれる。
【００６６】
このため不審者が外カバー１４の前面に、例えばマグネットシートを配置することでホールＩＣ４０の磁気検出信号の出力を維持したままカードリーダー１０をこじ開けたとしても、ホールＩＣ４０の磁気検出機能は保持できても、渡り線６２が外れることで磁気検出信号の出力が断たれ、これによりカードリーダー１０の制御部はタンパー異常を検出し、確実にタンパー異常を警報出力することができる。
【００６７】
なお、分離した回路パターンの渡り線６２による接続は、ホールＩＣ４０の出力ライン以外に、例えば電源端子を接続している正または負の電源ラインの回路パターンを分離して渡り線６２により着脱自在に接続しても良い。
【００６８】
［本発明の変形例］
（ホールＩＣ）
上記の実施形態は、タンパースイッチにホールＩＣを使用しているが、これに限られない。例えば、ホール素子とその磁気検出回路を回路基板に実装するようにしても良い。
【００６９】
（スイッチシート）
上記の実施形態は、静電容量スイッチを配列した静電容量スイッチシートを使用しているが、これに限られない。例えば、感圧スイッチや押釦スイッチ等を配列した適宜にスイッチ構造をもつスイッチシートを使用しても良い。
【００７０】
（その他）
また、渡り線のコネクタは絶縁部材に覆われ金属部の露出がないようにしても良い。
【００７１】
また、渡り線と基板の固定部は半田固定部の代わりに、引張強度の高いコネクタを使用し、渡り線が引き抜かれたときに基板にテンションがかからないようにしても良い。また、カードリーダーをこじ開ける程度の力が加わったときに切断される強度の渡り線を用いても良い。
【００７２】
また、回路基板とＣＰＵ基板間に、例えば鉄板等の強磁性体を配置し、正面からの磁力を遮断することでタンパースイッチの機能を失わせないようにしても良い。
【００７３】
また，本発明は、その目的と利点を損なうことのない適宜の変形を含み、更に上記の実施形態に示した数値による限定は受けない。
【符号の説明】
【００７４】
１０：カードリーダー
１１：本体アッセンブリィ
１２：内カバー
１４：外カバー
１６：表示操作パネル
２０：警戒設定キースイッチ
２２：警戒解除キースイッチ
２４：警戒・発報表示灯
２６：読取表示灯
２６ａ，２８ａ：ライトガイド
２８：解錠表示灯
３０：テンキー
３２：透明パネル
３４：静電容量スイッチシート
３５：静電容量スイッチ
３６：回路基板
３６ａ：ＲＦ基板
３６ｂ：ＣＰＵ基板
３７：アンテナコイル
４０：ホールＩＣ
４２：磁石部材
４６：制御部
４８：伝送部
５０：操作部
５２：表示部
５４：リーダーライタ部
５６：音響出力部
５８：非接触ＩＣカード
６０：タンパースイッチ
６２：渡り線
６４：コネクタ
６６：半田固定部
６８：止め金具
７０：コネクタピン
【図１】
2017155505.tif 000003
【図２】
2017155505.tif 000004
【図３】
2017155505.tif 000005
【図４】
2017155505.tif 000006
【図５】
2017155505.tif 000007
【図６】
2017155505.tif 000008
【図７】
2017155505.tif 000009
【図８】
2017155505.tif 000010